(57)【要約】      （修正有）【課題】先止め式の用途にも安全に使用できる簡便な加熱殺菌型の吸着式浄水器を提供する。【解決手段】容器１と、この容器内に保持された吸着剤２、加熱層３、電気ヒーター４、原水取入口５、浄水排出口６と、原水供給パイプ７と、浄水供給パイプ８と、温水排出パイプ９と、原水取入口５と原水供給パイプ７の間に接続された開閉弁１０と、浄水排出口６と浄水供給パイプ７の間に接続された開閉弁１１と、浄水排出口６と温水排出パイプ９の間に接続された開閉弁１２と、開閉弁１０〜１２と電気ヒーターに電気的に接続されたタイマー内蔵制御回路１３とを備え、浄水モードでは弁１０と弁１１が開き、加熱殺菌モードでは電気ヒーターに通電すると共に弁１０と弁１１が開き、加熱殺菌モード直後の冷却モードでは弁１０と弁１２が開き弁１１が閉じるように、タイマー内蔵制御回路１３でシーケンス制御される。【選択図】図１
0003131349.tif 000002
【実用新案登録請求の範囲】
【請求項１】
容器１、該容器内に保持された吸着剤２、前記容器内の底部に設けられた加熱層３、前記容器底部に取り付けられた電気ヒーター４、前記容器底部に設けられた原水取入口５、前記容器上部に設けられた浄水排出口６、原水供給パイプ７、浄水供給パイプ８、温水排出パイプ９、前記原水取入口と前記原水供給パイプの間に接続された開閉弁１０、前記浄水排出口と前記浄水供給パイプの間に接続された開閉弁１１、前記浄水排出口と前記温水排出パイプの間に接続された開閉弁１２、前記開閉弁１０と前記開閉弁１１と前記開閉弁１２と前記電気ヒーターに電気的に接続されたタイマー内蔵制御回路１３から成り、浄水モードでは弁１０と弁１１が開き、加熱殺菌モードでは電気ヒーターに通電すると共に弁１０と弁１１が閉じ弁１２が開き、加熱殺菌モード直後の冷却モードでは弁１０と弁１２が開き弁１１が閉じるように前記タイマー内蔵制御回路でシーケンス制御されることを特徴とする加熱殺菌型浄水器。
【考案の詳細な説明】
【技術分野】
【０００１】
本考案は加熱殺菌型浄水器に関するものである。
【背景技術】
【０００２】
活性炭等の吸着剤によって水道水中の化学物質を吸着する方式の浄水器、所謂吸着式浄水器は広く普及している。吸着式浄水器においては、吸着剤を含む浄水器内部において細菌や真菌等の菌が繁殖するという衛生上の問題があることは周知の通りである。
【０００３】
この問題を解決する手段として、吸着剤を含む浄水器内部を加熱する方式、所謂加熱殺菌型が提案され、一部実用化されている。例えば引用文献１、２、３では浄水器容器底面外部に電気ヒーターを設置して容器内の水を加熱する方式が提案されている。引用文献４では、浄水器容器底面内部に電気ヒーターを設置して容器内の水を加熱する方法が提案されている。このようにして、浄水器内部における菌の繁殖という衛生上の問題は解決された。
【０００４】
しかしながら、加熱殺菌型の吸着式浄水器は用途が所謂元止め式に限定され、所謂先止め式の要請に応えるものは存在しない。図２に示すように、元止め式では浄水の供給は浄水器の上流側の元栓の開閉によって行われる。加熱殺菌は一般に真夜中に設定されるが、元栓は閉じられているために、加熱殺菌は浄水器内に溜められた水と吸着剤に対して行われるために、短時間に所定の温度まで昇温可能となる。
【０００５】
一方、先止め式においては、図３に示すように、浄水の供給は浄水器の下流側の蛇口等の開閉によって行われる。一般に蛇口等の数は複数であり、その開閉は任意で不規則である。そのために、先止め式において加熱殺菌型の吸着式浄水器を用いた場合、加熱殺菌中に蛇口が開かれると、原水の水圧がかかり、蛇口から熱水が供給されて火傷の危険を生じる。あるいは、水が加熱層を流れ放しになるために所定の温度に昇温できないという事態が生じる。これらの不都合が、加熱殺菌型の吸着式浄水器が元止め式に限定されている所以である。
【０００６】
以上のように、加熱殺菌型の吸着式浄水器で、先止め式の用途に応えられるものは無い。若し、加熱殺菌型の吸着式浄水器で先止め式の用途に応えられるものが実現されれば、飲食店の厨房や食品工場など、複数の蛇口を有する場所に一台の浄水器を設置するだけでよくなり、経済性が格段に高まることが期待される。
【特許文献１】実開昭６１−１８７２９２号
【特許文献２】特開平９−２４８５６３号
【特許文献３】特開平１１−３４２３８７号
【特許文献４】特開平H18-３１４９６３
【考案の開示】
【考案が解決しようとする課題】
【０００７】
本考案は以上の事情に鑑み為されたものであって、その解決しようとする課題は、先止め式の用途にも安全に使用できる加熱殺菌型の吸着式浄水器を実現することにある。
【課題を解決するための手段】
【０００８】
浄水モードでは上流側の弁と浄水供給側の弁が開く。加熱殺菌モードでは電気ヒーターに通電すると共に上流側の弁と浄水供給側の弁が閉じ温水排出側の弁が開く。そのために、加熱層に原水が流入することはないので、短時間に所定の温度まで昇温可能となる。加熱殺菌中に蛇口が開かれても熱水が蛇口からでてくる危険も無い。加熱殺菌モード直後の冷却モードでは上流側の弁と温水排出側の弁が開き、浄水供給側の弁が閉じる。以上のように３つのモードをタイマー内蔵制御回路でシーケンス制御することによって課題の解決を図った。図４はシーケンス制御のチャート図である。
【考案の効果】
【０００９】
本考案により、３つの開閉弁を加えてシーケンス制御するだけの簡易的な構造で加熱殺菌型の吸着式浄水器を先止め式の用途に供じることが初めて可能となった。
【考案を実施するための最良の形態】
【００１０】
浄水器容器は吸着層と加熱層を２体に分離してパイプ等で接続する方式でも構わないが、図１に示したような一体式にした方が構造簡便で好ましい。容器形状は角筒型でも構わないが、耐圧性やシール性や製造コストの点で円筒型が好ましい。容器材料は金属性でもガラス製でもプラスチック製でも構わないが、耐熱性と耐食性と安全性の上でステンレス製が最良である。
【００１１】
吸着剤としては有機吸着剤でも無機吸着剤でも構わないが、吸着性能、安全性、耐久性、経済性の観点から無機吸着剤、特に微粒子状の活性炭が最も好ましい。吸着剤の量は多ければ多いほど、寿命も長く、水の流水抵抗も小さくなって望ましい。
【００１２】
電気ヒーターの設置は容器底面の内部でも外部でも構わない。外部設置はヒーター表面へのスケール堆積という問題が生じない利点があるが、熱伝達効率の悪さという短所がある。逆にヒーター内蔵型は、熱伝達効率は優れているが、ヒーター表面へのスケール堆積による耐久性の低下という問題がある。本考案の浄水器においてはスケール堆積の問題は解決が図られたので、ヒーター内蔵型が好ましい。内蔵型のヒーターは水に漬かるために、耐水性に優れたものが要求される。実用化されているヒーターの中ではステンレス製のシーズヒーターが最良である。
【００１３】
原水供給手段としては、上水道の水を直接あるいは受水槽を介して浄水器容器底面にパイプにより導く方法が一般的であり、最良であるが、貯水槽から水位差あるいはポンプによって導いても構わない。
【００１４】
３つの弁は電磁弁でも電動弁でも構わないが、経済性の点では電動弁の方が好ましい。水道の水圧は一般に変動するために、浄水器に余分な水圧がかかったり、動作が不安定になることを避けるために、図示していないが、浄水器の上流側には減圧弁を設置することが好ましい。また、浄水器上流側には、赤錆などの不純物を取り除くために、図示していないが、ストレーナーの設置が望ましい。
【００１５】
次に、図４の制御チャート図に即して制御方法について述べる。加熱殺菌モードの開始は、利用者が設定した時刻にタイマーが作動し、タイマーからの信号が制御回路に送られることによって行われる。加熱殺菌モード開始と共に、電気ヒーターが通電加熱される。同時に上流側の弁と浄水供給側の弁が閉じ温水排出側の弁が開く。加熱モードの所要時間ＴＨは予め設定されてタイマーとして制御回路に組み込まれている。ＴＨは浄水器の容量によって異なり、吸着剤の上端まで十分に加熱される必要最小限の時間が選ばれる。
【００１６】
所要時間ＴＨが経過するとタイマーが作動し、タイマーからの信号が制御回路に送られて、加熱殺菌モードが終了すると同時に冷却モードが始まる。冷却モードでは電気ヒーターの通電は止められ、上流側の弁と温水排出側の弁が開き、浄水供給側の弁は閉じられる。冷却モードの所要時間TSは、予め設定されてタイマーとして制御回路に組み込まれている。TSは浄水器の容量によって異なり、吸着剤の上端まで十分に冷却される必要最小限の時間が選ばれる。
【００１７】
所要時間TSが経過するとタイマーが作動し、タイマーからの信号が制御回路に送られて、冷却モードが終了すると同時に浄水モードが始まる。浄水モードTC開始と同時に上流側の弁と浄水供給側の弁が開き、温水排出側の弁は閉じられる。このモードにある時に、複数の蛇口の一つでも開かれると、その蛇口からは浄水器によって浄化された水が供給される。冷却モードを経ているので、熱水が蛇口から出てくる危険は無い。
【産業上の利用可能性】
【００１８】
本考案になる加熱殺菌型吸着式浄水器は、カートリッジの交換が不要であるために年間の水の使用量が多い場合に経済性が高まる。また、構造上、流路抵抗が小さいので、大流量を確保できるために、大流量を要する場所でも喜ばれる。先止め式の利用を可能にしたために、ホテルや飲食店、給食設備等の厨房用や食品工場など、複数の蛇口を有する業務用としての利用の可能性が大きい。
【図面の簡単な説明】
【００１９】
【図１】本考案の浄水器の全体構造を示した図である。
【図２】元止め式の浄水器の構造を示した図である。
【図３】先止め式の浄水器の構造を示した図である。
【図４】本考案の浄水器の制御チャートを示した図である。
【符号の説明】
【００２０】
１．容器
２．吸着剤
３．加熱層
４．電気ヒーター
５．原水取入口
６．浄水排出口
７．原水供給パイプ
８．浄水供給パイプ
９．温水排出パイプ
１０．開閉弁
１１．開閉弁
１２．開閉弁
１３．タイマー内蔵制御回路
【図１】
0003131349.tif 000003
【図２】
0003131349.tif 000004
【図３】
0003131349.tif 000005
【図４】
0003131349.tif 000006